(57)【特許請求の範囲】
【請求項１】
硬貨および紙幣の投入を受け付ける貨幣投入口と、
硬貨を収納する硬貨収納部と、
紙幣を収納する紙幣収納部と、
前記硬貨収納部へ硬貨を搬送する硬貨搬送部と、
前記紙幣収納部へ紙幣を搬送する紙幣搬送部と、
前記貨幣投入口と前記硬貨搬送部および前記紙幣搬送部との間に配され、前記貨幣投入口が受け付けた硬貨と紙幣とを分別する貨幣分別部と
を備え、
前記貨幣分別部は、紙幣を保持しつつ紙幣とともに投入された硬貨を通過させる硬貨通過部と前記硬貨通過部を通過した硬貨を前記硬貨搬送部へと導く硬貨移送部とを有し、
前記硬貨移送部は、硬貨が滑り降りる傾斜面と該傾斜面の両側部に位置して対をなす側壁とを有し、前記傾斜面の上部が少なくとも部分的に開放されている
貨幣入金装置。
【請求項２】
前記貨幣分別部は、券面が略鉛直方向に沿う状態または券面を傾斜させた状態で紙幣を前記硬貨通過部に保持させる
請求項１に記載の貨幣入金装置。
【請求項３】
前記硬貨移送部は、滑り台状または筒状である
請求項１または２のいずれかに記載の貨幣入金装置。
【請求項４】
商品の価格に関連する情報の入力を受け付ける商品情報受付部と、
硬貨および紙幣の投入を受け付ける貨幣投入口と、硬貨を収納する硬貨収納部と、紙幣を収納する紙幣収納部と、前記硬貨収納部へ硬貨を搬送する硬貨搬送部と、前記紙幣収納部へ紙幣を搬送する紙幣搬送部と、前記貨幣投入口と前記硬貨搬送部および前記紙幣搬送部との間に配され、前記貨幣投入口が受け付けた硬貨と紙幣とを分別する貨幣分別部とを備え、前記貨幣分別部は、紙幣を保持しつつ紙幣とともに投入された硬貨を通過させる硬貨通過部と、前記硬貨通過部を通過した硬貨を前記硬貨搬送部へと導く硬貨移送部と、を有し、前記硬貨移送部は、硬貨が滑り降りる傾斜面と該傾斜面の両側部に位置して対をなす側壁とを有し、前記傾斜面の上部が少なくとも部分的に開放されている貨幣入金装置と、
前記硬貨収納部および前記紙幣収納部に収納された硬貨および紙幣を払い出す貨幣出金部と、
を備えるセルフチェックアウト装置。
【請求項５】
前記貨幣分別部は、券面が略鉛直方向に沿う状態または券面を傾斜させた状態で紙幣を前記硬貨通過部に保持させる請求項４に記載のセルフチェックアウト装置。
【請求項６】
前記貨幣投入口は、前記貨幣入金装置を収納する筐体の幅方向中央部に配されている
請求項４または５に記載のセルフチェックアウト装置。
【発明の詳細な説明】
【技術分野】
【０００１】
本発明の実施形態は、貨幣入金装置およびセルフチェックアウト装置に関する。
【背景技術】
【０００２】
従来、ＰＯＳ端末やＥＣＲ等の電子機器に接続して使用するのに適した貨幣入金装置が知られている。このような貨幣入金装置として、例えば、硬貨入出金装置や紙幣入出金装置がある。
硬貨入出金装置および紙幣入出金装置は、それぞれ、投入口から投入された貨幣を筐体内へ搬送し、選別部で金種別に選別して収納部に収納し、ＰＯＳ端末等からの払出し指示に基づいて収納部から貨幣を取り出す。
【０００３】
一方、近年、購入する商品の販売登録および会計処理を客自身が行うためのセルフチェックアウト装置（セルフＰＯＳやセルフレジなどともいう）が備えられ、客が商品の販売登録および会計処理を行う販売形態を採用する店舗が増加している。
【発明の概要】
【発明が解決しようとする課題】
【０００４】
しかしながら、上述のような従来の貨幣入金装置やセルフチェックアウト装置において、貨幣投入口は、紙幣用と硬貨用と別々に設けられている。そればかりか、紙幣用の貨幣投入口と、硬貨用の貨幣投入口とが、離れた位置に配されていることも少なくない。各貨幣投入口の場所がわかりにくいと、各貨幣投入口の場所の確認に時間が取られてしまう。特に不慣れな客が操作するセルフチェックアウト装置では、各貨幣投入口の確認に時間が取られると、セルフチェックアウトによる時間短縮という目的を損なってしまう。
【課題を解決するための手段】
【０００５】
実施形態の貨幣入金装置は、貨幣投入口と、硬貨収納部と、紙幣収納部と、硬貨搬送部と、紙幣搬送部と、貨幣分別部とを備える。貨幣投入口は、硬貨および紙幣の投入を受け付ける。硬貨収納部は、硬貨を収納する。紙幣収納部は、紙幣を収納する。硬貨搬送部は、硬貨収納部へ硬貨を搬送する。紙幣搬送部は、紙幣収納部へ紙幣を搬送する。貨幣分別部は、貨幣投入口と硬貨搬送部および紙幣搬送部との間に配され、貨幣投入口が受け付けた硬貨と紙幣とを分別する。また、貨幣分別部は、紙幣を保持しつつ紙幣とともに投入された硬貨を通過させる硬貨通過部と、硬貨通過部を通過した硬貨を硬貨搬送部へと導く硬貨移送部と、を有する。さらに、硬貨移送部は、硬貨が滑り降りる傾斜面と該傾斜面の両側部に位置して対をなす側壁とを有し、傾斜面の上部が少なくとも部分的に開放されている。
【図面の簡単な説明】
【０００６】
【図１】図１は、実施形態のセルフチェックアウト装置の外観を示す斜視図である。
【図２】図２は、実施形態のセルフチェックアウト装置が備える入出金部の外観を示す斜視図である。
【図３】図３は、実施形態のセルフチェックアウト装置が備える入出金部の位置関係および構造を模式的に示す断面図である。
【図４】図４は、実施形態の紙幣用筐体内の各部の位置関係および構造を模式的に示す平面図である。
【図５】図５は、実施形態の硬貨用筐体内の各部の位置関係および構造を模式的に示す平面図である。
【発明を実施するための形態】
【０００７】
以下、図面を参照して、実施形態について説明する。本実施形態では、セルフチェックアウト装置１００が備える入出金部４を貨幣入金装置の一例とする。図１は、セルフチェックアウト装置１００の外観を示す斜視図である。セルフチェックアウト装置１００は、決済端末１と、籠置き棚２と、袋詰め棚３とを備えている。
【０００８】
決済端末１は、情報処理装置（不図示）と、入出金部４と、定置スキャナ５と、表示操作パネル６と、ハンドスキャナ７と、カードリーダライタ８と、レシートプリンタ９と、第一の筐体１０と、第二の筐体１１とを備えている。第一の筐体１０は、情報処理装置および入出金部４を内蔵する箱で、床に置かれている。第二の筐体１１は、定置スキャナ５およびレシートプリンタ９の外殻であり、第一の筐体１０の上面１０ａに載せられている。定置スキャナ５およびハンドスキャナ７は、商品情報受付部として機能し、商品の価格に関連する情報（一例としてはバーコードなど）の入力を受け付ける。
【０００９】
定置スキャナ５は、第一の筐体１０の上部に設けられた撮像窓５１と、第一の筐体１０に内蔵された撮像部（不図示）とを有している。撮像部は、撮像窓５１の前にかざされた例えばバーコードなどのコードシンボル像を撮像し、撮像したコードシンボル像をデコードして、デコードしたコード情報を情報処理装置に出力する。
【００１０】
ハンドスキャナ７は、第一の筐体１０の前面１０ｂの上部に配されている。第一の筐体１０の前面１０ｂの右上部には、ハンドスキャナ７の先端部７１を引っ掛け状態で支持する支持部１０ｃが設けられている。ハンドスキャナ７は、先端部７１に設けられた撮像窓（不図示）と、この撮像窓の内側に配された読取部（不図示）とを有している。この読取部は、撮像窓の前にかざされた例えばバーコードなどのコードシンボル像を撮像し、撮像したコードシンボル像をデコードし、デコードしたコード情報を、カールコード７２を介して情報処理装置に出力する。カールコード７２は、ハンドスキャナ７の撮像窓が設けられた先端部７１の反対側の端部である基端部と、第一の筐体１０に内蔵された情報処理装置に連絡するコネクタ（不図示）とを連結している。
【００１１】
表示操作パネル６は、表示画面６１と、タッチパネル６２とを備え、第二の筐体１１に載せられている。表示画面６１は、情報処理装置の制御に従って画像を表示する。タッチパネル６２は、表示画面６１の表面に設けられており、オペレータが触れた位置に基づく情報を情報処理装置に出力する。
【００１２】
カードリーダライタ８は、第二の筐体１１の横に配されて、第一の筐体１０の上面１０ａに配されている。カードリーダライタ８は、ポイントカードやクレジットカード等の磁気カード（情報記録媒体）に対して情報を読み書きする。
【００１３】
入出金部４は、貨幣を受け入れて分別収納し、情報処理装置の要求に応じて釣銭を払い出す。この入出金部４については後述する。
【００１４】
レシートプリンタ９は、第二の筐体１１に内蔵された印刷部（不図示）と、第二の筐体１１の前面１１ａに設けられたレシート発行口９１とを有している。レシートプリンタ９は、情報処理装置の制御に従い、印刷部によってレシートを印刷し、印刷後のレシートをレシート発行口９１から発行する。
【００１５】
情報処理装置は、第一の筐体１０に内蔵されており、決済端末１が備える各部（入出金部４、定置スキャナ５、表示操作パネル６、ハンドスキャナ７、カードリーダライタ８、およびレシートプリンタ９）を統括的に制御する。情報処理装置は、定置スキャナ５ないしハンドスキャナ７からコード情報を取得する。また、情報処理装置は、表示操作パネル６の表示画面６１に表示させる情報を出力し、タッチパネル６２からオペレータが行った操作の情報を取得する。さらに、情報処理装置は、入出金部４への入金を把握し、入出金部４に出金の指示を行う。
【００１６】
籠置き棚２は、決済端末１の一側方に設けられ、籠置き台２１と、脚部２２と、水物用袋保持部２３と、テープホルダ２４とを備えている。籠置き台２１は、商品を入れた籠から商品を取り出して定置スキャナ５にかざす動作を行う際に、籠の置き場とする台である。籠置き台２１は、脚部２２に支持されて適当な高さに設置されている。水物用袋保持部２３は、脚部２２の上端に取り付けられて、籠置き台２１の上方に位置している。水物用袋保持部２３は、例えば袋ロール２３１を保持可能である。袋ロール２３１は、複数の袋が一列に連続して構成されたシートが巻かれたものである。袋同士の間にはミシン目（切断予定部）が入れられていて、引っ張って切り離し可能である。また、水物用袋保持部２３に保持されるものは、所謂ポリティッシュタイプの袋であってもよい。テープホルダ２４は、水物用袋保持部２３の横に設けられている。テープホルダ２４は、ロール状に巻回された粘着テープ２４１を引き出し可能に保持するものである。テープホルダ２４は、引き出された粘着テープ２４１を切断する刃２４２を備えている。
【００１７】
袋詰め棚３は、決済端末１の他側方（籠置き棚２の反対側）に設けられている。袋詰め棚３は、秤皿３１と、一時置き台３２と、袋保持具３３と、筐体３４と、ロードセルユニット（不図示）とを備えている。秤皿３１は、筐体３４の上に設けられている。一時置き台３２は、秤皿３１に立ててられた柱３１１の上端に取り付けられている。秤皿３１および一時置き台３２は、定置スキャナ５ないしハンドスキャナ７でスキャンした後の商品の置き場とする台である。袋保持具３３は、柱３１１に設けられて一時置き台３２の下に位置し、レジ袋などの袋を開口状態で支持する。ロードセルユニットは、筐体３４に内蔵されており、秤皿３１にかかる荷重を電気信号に変換する。ロードセルユニットからの電気信号は、決済端末１の情報処理装置へ出力される。
【００１８】
入出金部４について、図２〜図５を用いて説明する。図２は、入出金部４の外観を示す斜視図である。図３は、入出金部４の位置関係および構造を模式的に示す断面図である。入出金部４は、貨幣投入口４１と、貨幣分別部４２と、紙幣出金口４３と、硬貨出金部４４と、紙幣用筐体４５と、硬貨用筐体４６と、紙幣収納部４７と、紙幣搬送部４８と、硬貨収納部４９と、硬貨搬送部５０とを備えている。紙幣出金口４３および硬貨出金部４４は、貨幣出金部として機能する。図４は、紙幣用筐体４５内の各部の位置関係および構造を模式的に示す平面図である。図５は、硬貨用筐体４６内の各部の位置関係および構造を模式的に示す平面図である。
【００１９】
貨幣投入口４１は、第一の筐体１０の上面１０ａの手前側であって幅方向中央部である位置に開口している。貨幣投入口４１は、紙幣Ｘおよび硬貨Ｃの投入を受け入れる。
【００２０】
貨幣分別部４２は、貨幣投入口４１と、硬貨搬送部５０および紙幣搬送部４８との間に配されている。貨幣分別部４２は、貨幣投入口４１が受け付けた硬貨Ｃと紙幣Ｘとを分別する。より詳細には、貨幣分別部４２は、貨幣投入口４１に併せて投入された硬貨Ｃおよび紙幣Ｘから硬貨Ｃを分別して硬貨搬送部５０へ送り込む。貨幣分別部４２は、硬貨通過部４２１と、硬貨移送スライダ４２２と、硬貨投入口４２３とを備えている。硬貨通過部４２１は、貨幣投入口４１の下方に設けられた複数本のバー４２１ａを有している。各バー４２１ａは、貨幣投入口４１から投入される紙幣Ｘの厚さ方向に略平行に設けられている。硬貨通過部４２１は、紙幣Ｘを、券面が略鉛直方向に沿う状態または券面を傾斜させた状態で支えて落下を妨げながら、紙幣Ｘとともに貨幣投入口４１に投入された硬貨Ｃの落下を許容する。
【００２１】
紙幣搬送部４８は、紙幣Ｘを、図３および図４に示す状態から、横方向（図３における紙面奥向き方向）へ搬送する。搬送された紙幣Ｘは、紙幣収納部４７に至り、収納される。
【００２２】
硬貨移送スライダ４２２は、硬貨移送部の一例であり、滑り台状の部材である。硬貨移送スライダ４２２は、貨幣投入口４１の下方奥から硬貨投入口４２３上へと連通する経路であり、硬貨Ｃが滑り降りる傾斜面４２２ａ，４２２ｂを有している。また、硬貨移送スライダ４２２の傾斜面４２２ｂの上部は開放されている。硬貨移送スライダ４２２は、紙幣Ｘとともに貨幣投入口４１に投入されて硬貨通過部４２１をすり抜けた硬貨Ｃを硬貨投入口４２３へと導く。硬貨投入口４２３の底にはベルトコンベア４２３ａが配されている。硬貨投入口４２３が受け入れた硬貨Ｃは、ベルトコンベア４２３ａおよび硬貨搬送部５０により硬貨用筐体４６の奥へ運ばれ、硬貨収納部４９に収納される。
【００２３】
紙幣収納部４７は、貨幣投入口４１が受け入れた紙幣Ｘを収納する。硬貨収納部４９は、貨幣投入口４１が受け入れた硬貨Ｃを収納する。紙幣出金口４３は、紙幣収納部４７内の紙幣Ｘが払い出される口である。また紙幣出金口４３は、第一の筐体１０の上面１０ａの手前側における貨幣投入口４１の奥側に開口している。硬貨出金部４４は、払出口４４１と受皿４４２とを備える。払出口４４１は、硬貨収納部４９内の硬貨Ｃが払い出される口である。受皿４４２は、払い出された硬貨Ｃを受け止める。また受皿４４２は、第一の筐体１０の前面１０ｂに露出している。
【００２４】
紙幣用筐体４５は、紙幣収納部４７および紙幣搬送部４８を内蔵する箱である。また、紙幣用筐体４５に、貨幣投入口４１、硬貨通過部４２１、硬貨移送スライダ４２２、および紙幣出金口４３が設けられている。硬貨用筐体４６は、硬貨収納部４９および硬貨搬送部５０を内蔵する箱である。また、硬貨用筐体４６に、硬貨投入口４２３、硬貨出金部４４が設けられている。
【００２５】
上記構成のセルフチェックアウト装置１００の使用方法の一例を説明する。客は、会計前の商品を入れた籠を籠置き台２１に置く。続いて、客は、決済端末１の正面前方に立って、表示操作パネル６の表示画面６１に表示されたスタートボタンをタッチ操作する。続いて、客は、籠の中の商品を取り出し、取り出した商品を、定置スキャナ５の撮像窓５１に近接させて、商品に付されたバーコードを定置スキャナ５に読み取らせる。ここで、比較的に大きな商品や重い商品は、籠ではなく、例えば買物カートに入れる場合がある。このような場合等には、ハンドスキャナ７の撮像窓をその商品に近接させて、その商品に付されたバーコードをハンドスキャナ７に読み取らせてもよい。情報処理装置は、バーコードをデコードしたコード情報に基づいて、商品の登録（記憶）を行う商品登録処理を行う。
【００２６】
次に、客は、商品コードの読み取りがなされた商品を、袋保持具３３によって開口状態で支持されているレジ袋に詰める。この際、情報処理装置は、ロードセルユニットによって計測された商品の重量を用いて周知の重量チェック処理を行う。
【００２７】
客は、商品コードを定置スキャナ５に読み取らせる前等、所望に応じて袋ロール２３１から袋を切り離して、商品を袋に詰めることができる。例えば、客は、魚や果物等の水物商品を袋に収納することができる。また、客は、商品を詰めた袋の口を、切断した粘着テープ２４１によって止めることができる。また、客は、商品コードを読み取らせた後、例えばパン等のつぶれ易い商品を一時置き台３２に載せることができる。
【００２８】
客は、レジ袋への商品の詰め込みが終了したならば、表示操作パネル６の表示画面６１に表示された終了ボタンをタッチ操作し、例えば現金を入出金部４に入金して代金を支払う。このとき、客は、紙幣Ｘおよび硬貨Ｃを、併せて貨幣投入口４１へ入れることができる。支払い完了後、客は、レジ袋を袋保持具３３から取り外す。
【００２９】
上述の代金の支払いに際して、入出金部４は、貨幣投入口４１に投入された紙幣Ｘおよび硬貨Ｃを金種別に収納するとともに、情報処理装置からの指令に応じて紙幣出金口４３や硬貨出金部４４から釣銭を払い出す。
【００３０】
貨幣投入口４１に投入された紙幣Ｘと硬貨Ｃとは、硬貨通過部４２１によって分別される。硬貨通過部４２１は、紙幣Ｘを支えて通過させず、硬貨Ｃを通過させる。硬貨通過部４２１上に残った紙幣Ｘは、紙幣搬送部４８により紙幣収納部４７へと搬送され、紙幣収納部４７に収納される。硬貨通過部４２１を通過した硬貨Ｃは、硬貨移送スライダ４２２によって硬貨投入口４２３上へ運ばれ、硬貨投入口４２３に投入され、硬貨搬送部５０により硬貨収納部４９へと搬送され、硬貨収納部４９に収納される。
【００３１】
以上説明したとおり、本実施形態の入出金部４は、貨幣投入口４１と、硬貨収納部４９と、紙幣収納部４７と、硬貨搬送部５０と、紙幣搬送部４８と、貨幣分別部４２とを備えた。よって、客は、硬貨Ｃと紙幣Ｘとを、併せて貨幣投入口４１に投入することができる。また、入出金部４は、貨幣投入口４１に紙幣Ｘとともに投入された硬貨Ｃを紙幣Ｘから分別して硬貨搬送部５０へ送り込むことができる。
【００３２】
また、本実施形態の貨幣分別部４２は、硬貨通過部４２１と、硬貨移送スライダ４２２とを備えた。硬貨通過部４２１が、紙幣Ｘを保持しつつ紙幣Ｘとともに投入された硬貨Ｃを通過させるので、紙幣Ｘと硬貨Ｃとを分別できる。そして、硬貨移送スライダ４２２によって分別後の硬貨Ｃが硬貨搬送部５０へ導かれる。
【００３３】
さらに、本実施形態の貨幣分別部４２は、券面が略鉛直方向に沿う状態または券面を傾斜させた状態で紙幣Ｘを硬貨通過部４２１に保持させる。よって、紙幣Ｘの間に挟まった硬貨Ｃが滑り落ちやすく、紙幣Ｘと硬貨Ｃとの分別が好適に行われやすい。
【００３４】
また、本実施形態では、硬貨移送部を硬貨移送スライダ４２２により実現した。よって、硬貨Ｃを導きやすく、また、硬貨移送部における硬貨Ｃの詰まりが起こりにくい。さらに、硬貨移送スライダ４２２の傾斜面４２２ｂの上部は開放されているので、硬貨移送スライダ４２２内を確認しやすく、万一硬貨Ｃが詰まっても、詰まった硬貨Ｃを見つけやすい。
【００３５】
さらに、本実施形態では、セルフチェックアウト装置１００の正面の幅方向中央部に、貨幣投入口４１が配されている。よって、セルフチェックアウト装置１００を利用する客の移動方向が右から左の場合と左から右の場合とのどちらの場合であっても、利用しやすさの差が出にくい。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３７】
なお、上記実施形態では、硬貨移送部に滑り台状の硬貨移送スライダ４２２を用いたが、実施にあたっては、硬貨移送スライダ４２２に替えて筒状の部材など、他の形状の部材を用いてもよい。
また、上記実施形態では、貨幣投入口４１は上向き開口としたが、実施にあたっては、開口の向きは問わず、例えば正面に開口していてもよい。
【００３８】
そして、上記実施形態では、紙幣用筐体４５と硬貨用筐体４６とを別体としたが、実施にあたっては、一つの筐体に各部（貨幣投入口４１、貨幣分別部４２、紙幣出金口４３、硬貨出金部４４、紙幣収納部４７、紙幣搬送部４８、硬貨収納部４９、および硬貨搬送部５０）が設けられていてもよい。
【符号の説明】
【００３９】
４…入出金部（貨幣入金装置）、
５…定置スキャナ（商品情報受付部）、７…ハンドスキャナ（商品情報受付部）、
１０…第一の筐体、
４１…貨幣投入口、４２…貨幣分別部、
４２１…硬貨通過部、４２２…硬貨移送スライダ（硬貨移送部）、
４３…紙幣出金口（貨幣出金部）、４４…硬貨出金部（貨幣出金部）、
４７…紙幣収納部、４８…紙幣搬送部、４９…硬貨収納部、５０…硬貨搬送部、
１００…セルフチェックアウト装置、Ｃ…硬貨、Ｘ…紙幣。
【先行技術文献】
【特許文献】
【００４０】
【特許文献１】特開２０１２−１５０８４１号公報
【図１】
0005591290.tif 000002
【図２】
0005591290.tif 000003
【図３】
0005591290.tif 000004
【図４】
0005591290.tif 000005
【図５】
0005591290.tif 000006